Podtech/llm-jp-corpus-v4-ja_patent huggingface dataset:
(57)【要約】      （修正有）【課題】椅子に座る時間を利用して、足を載せるだけで楽に効果の得られる青竹踏みを提供する。【解決手段】机の下に底面に横の断面が扇形２になる逆三角形のシーソー型の青竹踏み１を置き、デスクワークや勉強の長い時間を利用して、椅子に腰を掛けた姿勢で必然的に足を載せ、つま先上がりの角度に合わせられて、足を自由に遊ばせて足裏４のツボを刺激し疲労の取れるようにした。長い時間のために足の重みだけで効果は充分に得られ、更に、踵をつけて立つことにより脹ら脛の筋肉を伸ばす効果もあり、つま先をつけて立つことにより背筋が伸びてヒップアップの効果も得られる。シーソー型にして上に立つと体のバランス運動にもなる。【選択図】図１
2012090935.tif 000002
【特許請求の範囲】
【請求項１】
従来の青竹踏みは蒲鉾型の床置きで、立って載って全体重を掛けて足裏に刺激を与えるものであったが、腰掛式の青竹踏みは横の断面が扇形を成し、扇の要部分が床面に支点となって前後が上下するシーソー型になるので、腰を掛けた状態の足裏のつま先上がりの角度に合わせられ、デスクワークや勉強の長い時間を利用して足を載せているだけで足の重みで効果が得られる、前後シーソー型にした腰掛式の青竹踏み。
【請求項２】
腰掛式の青竹踏みに、踵を下げて立つと足の後ろの脹ら脛の筋肉を伸ばす効果があり、つま先を下げて立つと背筋を伸ばす効果もある、シーソー型を利用すれば体のバランス運動もできる、請求項１の腰掛式の青竹踏み。
【発明の詳細な説明】
【技術の分野】
【０００１】  本発明は、横の断面が扇形をした青竹踏みを椅子に腰を掛けた姿勢で必然的に足を載せると、前後が上下してシーソー型になり、つま先上がりの足裏の角度に合う。腰掛式青竹踏みに関するものである。
【背景技術】
【０００２】  従来の青竹踏みには、天然の竹材で作ったものやプラスチック製にしても床置き形をしていて、いずれも断面が蒲鉾形であったために、意識してわざわざ上に立って載って体重を掛けて効果を得ようとするものであった。
【発明の概要】
【発明が解決しようとする課題】
【０００３】  旧来の青竹踏みは、いっときとはいえ全体重を掛けることで足裏に掛かる刺激が強過ぎて、そのたびに痛くて耐えきれなかった人も多くいた。更に、わざわざ立って載るという行動は、つい忘れてしまうことも多かった。
本発明は、以上の問題点を解決するためになされたものである。
【問題を解決するための手段】
【０００４】  机の下などに腰掛式の青竹踏みを置いて、仕事や勉強の時間を利用して、椅子に腰を掛けて必然的に長い時間足を載せて置くだけで足の重みで充分に効果が得られる。シーソー型の腰掛式の青竹踏みは、横の断面が扇形をしていて椅子に座った姿勢で足裏のつま先上がりの角度に添うことで、時間的にも無理なく足裏に刺激を与える。足に負担を掛けず遊ばせながらツボにも当てられる。立って手前を下げて踵をつければ脹ら脛の筋肉を伸ばす効果もあり、つま先を下げると背筋を伸ばす効果もある。シーソー型にすれば体のバランス運動にも活用できる。
以上の構成による腰掛式の青竹踏み。
【発明の効果】
【０００５】  毎日のデスクワークや勉強の長い時間を利用して、椅子に腰を掛けて腰掛式の青竹踏みに足を載せるだけで、横の断面が扇形をしているので、机の下でシーソー型になり足裏のつま先上がりの角度に添うようにした、足に負担を掛けない青竹踏みである。わざわざ全体重を掛けなくても、軽く載せて置くだけで充分効果が得られる。更に、立って踵を下げると脹ら脛の筋肉も伸ばせ、つま先を下げると背筋伸ばしにもなる。シーソー型にするとバランス運動もできる。腰掛式の青竹踏みである。
【図面の簡単な説明】
【０００６】
【図１】  本発明の斜視図
【図２】  本発明の横の断面図
【図３】  本発明の裏面図
【図４】  踵（かかと）、つま先立ちの図
【発明を実施するための形態】
【０００７】  以下、本発明を実施の形態を説明する。
（イ）通常のプラスチック製の青竹踏みの底面に横の断面が扇形（２）になる逆三角形の      突出物を体重を支えられる配置に設けて、扇形の要部分が床を支点として前後がシ      ーソー型になるようにした、腰掛式の青竹踏み（１）。
（ロ）蒲鉾形の青竹踏みに立って載って全体重を掛けなくても、椅子に腰を掛けた状態で      足裏のつま先上がりの角度に添うようにした腰掛式の青竹踏み（１）で、足を軽く      載せているだけで、仕事や勉強の長い時間には足の重みだけで充分な効果が得られ      る。
（ハ）腰掛式の青竹踏み（１）を利用して踵を下げて立つと脹ら脛の筋肉が伸ばせ、つま      先を下げて立つと背筋が伸ばせる。シーソー型にして立つと体のバランス運動にも      なる。
本発明は、以上のような構造である。
本発明を使用するときは、腰掛式の青竹踏み（１）をデスクの下などに置いて、椅子に腰を掛けた状態で足を必然的に載せると前後が上下するので、足裏の角度に添わせられる。足裏のツボに当てたり楽な足裏の位置を選ぶこともできる。日々のデスクワークや勉強の長い時間には足の重みだけで充分な効果が得られる。更に、腰掛式の青竹踏み（１）の上に立って踵を下げれば脹ら脛の筋肉を伸ばせ、つま先を下げれば背筋を伸ばし、シーソー型にすれば体のバランス運動にもなる。
【符号の説明】
【０００８】  １  腰掛式の青竹踏み                ２  断面の扇形
３  イボイボ突起                    ４  足裏
【図１】
2012090935.tif 000003
【図２】
2012090935.tif 000004
【図３】
2012090935.tif 000005
【図４】
2012090935.tif 000006
(57)【要約】      （修正有）【課題】カブセが背中に接触しているので、自分の分らない間に開けられることも無く、背負った状態で外部から開閉ができないため安全である。携帯電話や小物類は、カブセ下にポケットを設け、このポケット口を上部にすることで、下ろさなくても背負ったままで安全な使用が可能になる。【解決手段】鞄のカブセ上部に背負いベルト挿通用の穴（１）を開け、背負いベルトの一端を鞄本体の背中側上部（２）に固定し、他端をカブセの穴（１）を通し、下部（３）に固定する。【選択図】図１
2012090930.tif 000002
【特許請求の範囲】
【発明の詳細な説明】
【技術分野】
【０００１】  この発明は、鞄のカブセを背中に接触する側に設けた背中側開閉口付き鞄に関するものである。
【背景技術】
【０００２】  従来、鞄のカブセは外側にあった。
【発明の開示】
【発明が解決しようとする課題】
【０００３】  これは、次のような欠点があった。
従来、背負い鞄はカブセが外にあるため、使用者に見えず開閉口の確認もできなかった。盗難の不安があり、通勤通学にも心配があった。本発明は、以上のような欠点をなくすためになされたものである。
【課題を解決するための手段】
【０００４】  カブセの上部に穴（１））を設け、背中接触の本体上部に、背負いベルトを固定（２）し、ベルトのもう一端を穴（１）に通し、背中接触本体下部（３）に固定することによって、カブセを背中に接触させる。
本発明は、以上の構成からなる背中に接触する側にカブセを設けた背中側開閉口付き鞄である。
【発明の効果】
【０００５】  カブセが背中に接触しているので、自分の分らない間に開けられることも無く、背負った状態で外部から開閉ができないため安全である。従来のデザインにも応用でき、手提げ鞄を背負い鞄として安全に使用できる。携帯電話や小物類は、カブセ下にポケットを設け、このポケット口を上部にすることで、下ろさなくても背負ったままで安全な使用が可能になる。
【発明を実施するための最良の形態】
【０００６】以下、本発明を実施するための最良の形態について説明する。
鞄のカブセ上部に、背負いベルト通し用の穴（１）を開ける。
鞄本体の背中側の上部に背負いベルトの一方を固定（２）し、穴（１）に通す。
鞄本体の背中側の下部に穴（１）を通したベルトを固定（３）する。
本発明は、以上のような構造である。
これを使用するときは、カブセが背中に密着している背負い鞄のため、鞄の中身は安全に守られ安心して背負えばよい。
【図面の簡単な説明】
【０００７】
【図１】  本発明の斜視図である。
【図２】  本発明のカブセを開いた図である。
【符号の説明】
【０００８】  １  ベルト通し穴
２  背負いベルト上部固定
３  背負いベルト下部固定
【図１】
2012090930.tif 000003
【図２】
2012090930.tif 000004
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
（イ）  カブセに穴（１）を設ける。
（ロ）  背中接触側本体上部に、背負いベルトの一端を固定（２）する。
（ハ）  穴（１）にベルトを通し、背中接触側本体下部に固定（３）する。
以上（イ）（ロ）（ハ）の構成よりなる背中接触側にカブセを設けた鞄。
(57)【要約】      （修正有）【課題】人が一人で入浴時、背中を洗ったり、拭いたりするに、両手で手拭の両端を握り、背中にあてがう如くして強く左右に擦る如くするとき、手から手拭がすっぽ抜けない手拭を提供する。【解決手段】手拭１の四隅付近にボタンホール状の孔２を設けた。この孔２に指を差し入れた後、手拭を握るようにするので、手拭が濡れていても、握る部位が先細状になっていても、手拭が手からすっぽ抜けなくなる。さらに、手の指の何本かを怪我した場合、最悪、左右の指１本づつが使えれば一人で背中を洗うことも、拭くこともできる。【選択図】図１
2012090925.tif 000002
【特許請求の範囲】
【請求項１】
孔を設けた事を特長とする孔付き手拭。
【発明の詳細な説明】
【技術分野】
【０００１】  人の指１本から２本が入る程度の大きさで、ボタンホール状の孔を設けた事を特長とする孔付き手拭に関するものである。
【背景技術】
【０００２】  従来、人の入浴時、自らの背中を手拭で洗ったり、又拭いたりする際に手拭の両端を両手で握りつつ、背中に当てがい左右に擦る如くにしていた。しかし、こうした場合、ともすると握ったその手から手拭がすっぽ抜けることがあった。こんなとき手先が横方向に飛び、物に当ったり或は公衆浴場の場合では、他人の身体に当ってしまう等のことがあった。
【発明が解決しようとする課題】
【０００３】  この様に握った手からすっぽ抜けるのは手拭が濡れていることと握った手拭の部位が先細状になっていることなどが原因と思われるが、猶且つ、すっぽ抜けない方法が望まれていた。
本発明はこうした要望に応えなしたものである。
【課題を解決するための手段】
【０００４】  図１に示す如く、手拭の四隅付近に人の指一本から二本が入る程度の大きさのボタンホール状の孔２を設ける。
【発明の効果】
【０００５】  本発明によれば
イ、人の入浴時、一人で背中を洗ったり、拭いたりするとき、まず孔２に指を差し入れて後手拭を握る如くすれば手拭は濡れていても、又握る部位が先細状になっていても手からすっぽ抜けることはない。
ロ、したがって、従来の如く強く握る必要も無く又隣を気にする必要もなく使用できる。
ハ、さらに、手や指の何本かが怪我等の場合、従来の手拭では一人で背中を洗ったり、拭いたりはかなり難儀なことが有ったが、本発明によれば最悪、左右の指１本づつが使えれば一人で背中を洗うも拭くもできる。
二、本発明はタオル地にて使用しても良い。
ホ、本発明はアイデアそのものは高度と言えないもののその効果は大で誰にも必要とされ、特に一人住いの人、身体の不自由な人、老人等に商品化が待たれる如くのものと言える。
【図面の簡単な説明】
【０００６】
【図１】  本発明の表面図である。
【図２】  本発明の裏面図である。
【符号の説明】
【０００７】１、本発明孔付き手拭。
２、ボタンホール状の孔。
【図１】
2012090925.tif 000003
【図２】
2012090925.tif 000004
(57)【要約】      （修正有）【課題】ネックレスやピアス等の各種装飾品に付けられる宝石類を簡単簡便に取り換えられる丸かん及びシーかんを供給し、各種装飾品のデザインに対し、使用者に費用負担無く豊富なバリエーションを与える。【解決手段】ネックレスやピアス等の各種装飾品2に用いる丸かん及びシーかん素材1に反発復元性を有した素材を組込み、開閉機能を付加させた。【選択図】図１
2012090926.tif 000002
【特許請求の範囲】
【請求項１】
ネックレスやピアス等の各種装飾品に用いる丸かん及びシーかんに関し、その物本体に反発復元性を有した素材を組込み、開閉機能を付加させた丸かん及びシーかんである。
【発明の詳細な説明】
【発明の詳細な説明】
【産業上の利用分野】
【０００１】この発明は、ネックレスやピアス等の各種装飾品につけられる宝石類を簡単簡便に取付け取外しが出来る丸かん及びシーかんである。
【背景技術】
【０００２】ネックレスやピアス等の装飾品は肌に長時間接触する機会が多く、特にピアスのピンにおいては濃密な皮膚接触となることから、金、銀、プラチナなどの高価な貴金属を用いて金属アレルギーの発症低減を図っている。【０００３】上記ネックレスやピアス等に取り付けられる宝石類等の装飾品は、主にアルミニウム、鉄等の汎用金属を主体とした素材を線材又はパイプ材に成型し、その物を環状に塑性変形させた丸かんあるいはシーかん等を用いて接続されている。【０００４】この丸かんあるいはシーかん等接続部品は、一部に不連続部を有する欠環状となっており、宝石類のような装飾品を丸かんあるいはシーかん等の環内に接続後、特殊工具と特殊技能を併用し圧接又はロー付け等で欠環部を閉鎖して半固定か固定方式で使用されている。
【発明が解決しようとする課題】
【０００５】現状のネックレスやピアス等に取り付けられる装飾品の交換には、特殊工具と特殊技能を併用しなければ丸かん及びシーかんの開閉は出来ない不便があった。
【０００６】上記機構ゆえに、ネックレスやピアス等の各種装飾品の購入に際しては、高価な貴金属を用いた部位並びに宝石類を含めた部位が、丸かんあるいはシーかん等で接続された装飾品一式として購入せざるをえなかった。
【０００７】その結果として、使用者は高額な金額を支払わなければ、ネックレスやピアス等のデザインに対して日々の多彩な変化を満喫することが出来ない状況であった。
【課題を解決するための手段】
【０００８】前記不便を解決するため、丸かん及びシーかん本体の一部に反発復元性を有した素材を組込み、外力にて開となる機構を付加させた。
【０００９】反発復元性を有した素材の組込みには、丸かん及びシーかん本体の線材あるいはパイプ材口径よりも小さい寸法とし、形状変化と面積や重量増加を何ら生じさせない構造体方式とした。
【作用】
【００１０】上述した構成からなる本発明の丸かん及びシーかんには、特殊工具と特殊技能を併用しなくとも容易に宝石類の交換が行える機構が付加されることになる。
【００１１】更に、機能付与に対する丸かん及びシーかんの面積並びに重量増加は殆ど生じないため、身体に長時間着用しても快適な状態が維持されることになる。
【００１２】上記機構により、使用者は、宝石類等の装飾品の取付け交換がいとも簡単におこなえることになる。その結果、高額な出費をせずに、ネックレスやピアス等のデザインに対して、日々多彩な変化を満喫することができ、日々快活で豊かな生活がもたらされることとなる。
【実施例】
【００１３】この考案の実施例について図面を参照して説明する。【００１４】図１は本考案の実施例１でピアス取付け概略図である。【００１５】図２は本考案の実施例２でピアス取付け概略図である。【００１６】図３は本考案で付加された丸かん及びシーかんの開閉機構での閉を示す。【００１７】図４は本考案で付加された丸かん及びシーかんの開閉機構での開を示す。
【図面の簡単な説明】
【００１８】
【図１】ピアスへの装飾用丸かんの実施例１
【図２】ピアスへの装飾用丸かんの実施例２
【図３】装飾用丸かんの閉構造図
【図４】装飾用丸かんの開構造図
【符号の説明】１  丸かん及びシーかん
２  宝石類等の装飾品
３  ピアスのピン
４  復元力を有する鋼材、樹脂
５  切込（スリット）
６  開での加力方向
【図１】
2012090926.tif 000003
【図２】
2012090926.tif 000004
【図３】
2012090926.tif 000005
【図４】
2012090926.tif 000006
(57)【要約】【課題】従来の装飾品は、無機質なガラス素材や鉄や貴金属・死んだ動物の骨や皮・樹木などで作られており、非生命であり如何にも物質的であった。【解決手段】鉢植えの土や水遣りを必要とせず、空気中の水分で生存する生きた植物であるエアプランツの適当な大きさのものを、従来の装飾品に組み込み、直に肌に触れさせたり、頭部に飾ることで、生き物の温もりを感じ、ネガティブな感情を浄化して安心感を得る事が出来ます。【選択図】なし【特許請求の範囲】
【請求項１】
従来型の死んだ素材である切り出した木やガラスビーズ・金属素材のみに頼るのではなく、生きた生命であり、土と水を必要としないエアプランツを直に肌に触れる装飾品や髪飾りに組み入れる事により、精神的な不安感を宥めて、安らぎや安心感・安定感を得る。
【請求項２】
請求項１記載の装飾品。
【発明の詳細な説明】
【技術分野】
【０００１】      本発明は、一般家庭の精神安定を図った装飾品に関する。
【背景技術】
【０００２】    従来の家庭で使われる装飾品には、切り出した死んだ木や金属などの無機質な素材が使われていた。
【先行技術文献】
【特許文献】
【０００３】    銀製や鉄製のチェーンのネックレスに、適度な大きさである空気中の水分を補給して生活するエアプランツ（植物）を銀や糸などで固定して結わえ、アクセサリーとする。【特許文献１】
【特許文献２】
【非特許文献】
【０００４】  ネックレスチェーンに、エアプランツを取り付けられるようにエアプランツに金具などを取り付け、チェーンと植物を糸や皮や金属などで連結する。【非特許文献１】
【非特許文献２】
【発明の概要】
【発明が解決しようとする課題】従来の装飾品では、「生きた生命を装着すること」は不可能であった。
【課題を解決するための手段】本発明は、このような従来の無味寒村・無機質な装飾品が有していた問題を解決しようとするものであり、水と土を必要としないエアプランツを金属や皮製のチェーンに装着する事で、気軽に自ら以外の生命の温もりと生活を共にするものである。
【発明の効果】精神的な不安感を取り除き、安らぎを与え精神的な安心感や安定感・落ち着きを保つ事が出来る。
【発明を実施するための形態】
皮素材や金属チェーン・ガラスビーズ・ワイヤー・塗料などを用いて、生きた植物であるエアプランツを宝石や木製や金属製のペンダントトップの様に組み合わせ、ネックレスやアンクレットなどにして装う。
【実施例】
【産業上の利用可能性】
【・・・・】
【符号の説明】
【・・・・】
【受託番号】
【・・・・】
【配列表フリーテキスト】
【配列表】
(57)【要約】【課題】後ろ髪が首周りにまとわりつくことによる不快感を解消し、且つ、外部からは装着していることが分からないようなカチューシャを提供すること。【解決手段】後頸部と毛髪との間に空間を作るカチューシャであって、毛髪の生え際に沿って変形可能なワイヤ部１０と、ワイヤ部の両端において両耳に掛けるように湾曲したフック部１１と、からなることを特徴とする。【選択図】      図１
2012090886.tif 000002
【特許請求の範囲】
【請求項１】
後頸部と毛髪との間に空間を作るカチューシャであって、
毛髪の生え際に沿って変形可能なワイヤ部と、
前記ワイヤ部の両端において両耳に掛けるように湾曲したフック部と、からなることを特徴とするカチューシャ。
【請求項２】
請求項１に記載のカチューシャであって、前記ワイヤ部および前記フック部は金属芯材を備えることを特徴とするカチューシャ。
【請求項３】
請求項２に記載のカチューシャであって、
前記ワイヤ部の前記金属芯材は、ワイヤ保護材により覆われ、
前記フック部の前記金属芯材は、軟質材からなる耳保護材により覆われていることを特徴とするカチューシャ。
【請求項４】
請求項３に記載のカチューシャであって、前記ワイヤ保護材は布又はビーズからなり、前記耳保護材は布又はシリコンからなることを特徴とするカチューシャ。
【発明の詳細な説明】
【技術分野】
【０００１】
本発明は、カチューシャに係り、より詳細には、後ろ髪を持ち上げるように支持し、後頸部と髪の毛との間に空間をつくることができるカチューシャに関するものである。
【背景技術】
【０００２】
従来カチューシャは、頭頂部に装着し、髪の毛を押さえて顔の前に垂れてくることを防止したり、髪が乱れることを防止したりすると共に、装飾品として使用されている。
最近では、特許文献１に記載の発明のように、カチューシャ本体に突起を櫛状に多数設け、頭皮とカチューシャ本体との間に空間を作り、髪にカチューシャの跡を残さないようにしたものもある。
【先行技術文献】
【特許文献】
【０００３】
【特許文献１】特開２００５−３１９２６３号公報
【特許文献２】特開２００６−２８８６８２号公報
【発明の概要】
【発明が解決しようとする課題】
【０００４】
ところで、後ろ髪の長い人は、髪の毛が首を覆い、また首にまとわりつくため、特に夏場に非常に不快な思いをすることが少なくない。一般的にはそのような場合には髪の毛を束ねることもあるが、ファッション性を重視して髪の毛を束ねずにおろしておく人も多く、また、首元を覆う程度の長さはあるが、髪の毛を束ねるには短すぎる位の髪型の人もいる。
頭頂部に装着する従来のカチューシャでは、前髪および横髪は押さえることができたが、後ろ髪が首周りを覆うことは防止できなかった。
また、特許文献２のように、頭頂部ではなく両耳と後頭部とで装着する髪型保持具でも、前髪および横髪を止めることはできるが、やはり後ろ髪が首周りを覆うことを防止できない。
本発明は、これらの課題を解決するために開発されたものである。
【課題を解決するための手段】
【０００５】
前述の目的を達成するため本発明は、後頸部と毛髪との間に空間を作るカチューシャであって、毛髪の生え際に沿って変形可能なワイヤ部と、ワイヤ部の両端において両耳に掛けるように湾曲したフック部と、からなることを特徴とする。
また、ワイヤ部およびフック部は金属芯材を備えることを特徴とする。
さらに、ワイヤ部の金属芯材は、布又はビーズにより覆われ、フック部の金属芯材は、布又はシリコンにより覆われている。
【発明の効果】
【０００６】
本発明の効果として、後ろ髪をおろしていても、首に髪の毛がまとわりつくことなく、特に夏場、快適に過ごすことができるようになる。また、後頸部と後ろ髪との間に空間を作るため、空気の通りが良くなり、首周りの発汗を減少させることができる。さらに、後ろ髪内部に装着するため、髪に隠れて外観からは本発明を使用していることが分からない。
【図面の簡単な説明】
【０００７】
【図１】本発明の全体を示す図である。
【図２】本発明を側面から見た図である。
【図３】ワイヤ部及びフック部の内部構造を説明する図である。
【図４】本発明の使用状態を表す図である。
【発明を実施するための形態】
【０００８】
まず、図１乃至図３を参照して、本発明の全体構造を説明する。
カチューシャ１は、ワイヤ部１０とフック部１１とからなる。ワイヤ部１０は、髪の生え際に沿うように湾曲しており、使用者の頭部のカーブに合わせて変形可能なように金属芯材１２を備える。また、ワイヤ部１０には、通気性がいいように、又見た目もかわいらしいように、金属芯材１２の周りをビーズや布等のワイヤ保護材１３で覆い、装飾されてもよい。
【０００９】
フック部１１は、ワイヤ部１０の両端に設けられ、耳の後に軽く引っかかる程度に湾曲している。フック部１１には、ワイヤ部１０から延在する金属芯材１２を備え、耳に当たっても痛くならないように、シリコンや布等の軟質材からなる耳保護材１４で覆われている。
【００１０】
次に、図４を参照して、本発明の使用状態を説明する。
本発明は、図４に示すように、後頭部に装着して使用する。このとき、カチューシャ１は、後ろ髪の外側ではなく、後頸部と後ろ髪との間に挿入される。
このとき、フック部１１を両耳に掛けて、ワイヤ部１０を後頸部から後ろ髪を少し持ち上げるように装着することによって、後ろ髪の生え際に空間を作る。髪の毛の生え際と耳との距離は、人によって大きく変化するようなものではないが、必要に応じて、カチューシャ１によって生え際に沿って軽く後ろ髪を持ち上げ、耳の部分で金属芯材１２を曲げて調節することができる。
【００１１】
このとき、髪型を変えてしまわないように、後頸部の生え際の髪が若干持ち上がる程度のところにカチューシャ１を装着する。
また、カチューシャ１のワイヤ部１０の太さを変えることにより、髪型の邪魔にならない程度の奥行きを設けて空間を作ることもできる。
【００１２】
このようにカチューシャ１は、後ろ髪の内部に装着されるため、外観からは装着していることが分からない。
また、後ろ髪がカチューシャ１によって持ち上がるため、後頸部と後ろ髪との間に空間を作ることができ、後ろ髪が後頸部を覆ったり、まとわりついたりすることを防止することができ、首周りの発汗を減少させることができる。
【符号の説明】
【００１３】
１    カチューシャ
１０  ワイヤ部
１１  フック部
１２  金属芯材
【図１】
2012090886.tif 000003
【図２】
2012090886.tif 000004
【図３】
2012090886.tif 000005
【図４】
2012090886.tif 000006
(57)【要約】【課題】本発明は、潮流の運動エネルギーを利用して海洋深層水を効率的に汲み上げる装置を提供する。【解決手段】フロートから海中に吊り下げられ、海底に設置したアンカーに係留された深層水汲み上げ部の外部に取り付けたスクリューを潮流で回転させ、その動力で深層水汲み上げ部の内部のスクリューを回転させて、深層水汲み上げ部から深層水汲み上げ水深まで垂らしたホースを通じて深層水を汲み上げる構成とした。【選択図】図１
2012090619.tif 000002
【特許請求の範囲】
【請求項１】
フロートから海中に吊り下げられ、海底に設置したアンカーに係留された深層水汲み上げ部の外部に取り付けたスクリューを潮流で回転させ、その動力で深層水汲み上げ部の内部のスクリューを回転させて、深層水汲み上げ部から深層水汲み上げ水深まで垂らしたホースを通じて深層水を汲み上げる装置。
【発明の詳細な説明】
【技術分野】
【０００１】  この発明は、潮流の運動エネルギーを利用して海洋深層水を汲み上げる装置に関する。
【背景技術】
【０００２】  従来、ポンプを使って海洋深層水を汲み上げる方法が考案されている。（例えば、特許文献１参照。）
また、深層水取水部における潮流の運動エネルギーを利用して海洋深層水を汲み上げる方法が考案されている。（例えば、特許文献２参照。）
【先行技術文献】
【特許文献】
【０００３】
【特許文献１】特開２００２−３７０６９０号公報
【特許文献２】特開２００２−３０６０１６号公報
【発明の概要】
【発明が解決しようとする課題】
【０００４】  従来のポンプを使用するものにあっては、電動のポンプを利用している。その電力を太陽光又は風力エネルギーから得ているものがあるが、これらのエネルギーは安定的に供給されることはない。また、電力を潮流の運動エネルギーから得ているものがあるが、一旦、電気エネルギーに変換して、再度、運動エネルギーに変換するのは非効率である。【０００５】  深層水取水部における潮流の運動エネルギーを利用する方法は、潮流の速さは海面付近で最も早く、水深が増すにつれて遅くなるため、非効率である。【０００６】  本発明は、潮流の運動エネルギーを利用して海洋深層水を効率的に汲み上げる装置を提供することを課題とする。
【課題を解決するための手段】
【０００７】  上記の課題を解決するために、本発明の潮流の運動エネルギーを利用して海洋深層水を汲み上げる装置は、フロートから海中に吊り下げられ、海底に設置したアンカーに係留された深層水汲み上げ部の外部に取り付けたスクリューを潮流で回転させ、その動力で深層水汲み上げ部の内部のスクリューを回転させて、深層水汲み上げ部から深層水汲み上げ水深まで垂らしたホースを通じて深層水を汲み上げる構成とした。
【発明の効果】
【０００８】  本発明の装置は、電動のポンプを使用しないため、発電機、送電設備等の電気関係の施設・設備を使用しないため構造が単純である。【０００９】  また、潮流が最も速い海面付近の潮流の運動エネルギーを利用することができるため、深層水取水部における潮流の運動エネルギーを利用する方法より効率が高い。【００１０】  本発明の装置により栄養塩類に富んだ深層水を汲み上げて海藻の養殖に利用できるほか、本装置を多数設置してプランクトンの増殖を図り漁場を形成することもできる。
【図面の簡単な説明】
【００１１】
【図１】本発明の装置の実施例の外観を示す正面図である。
【図２】深層水汲み上げ部の実施例の側面断面図である。
【発明を実施するための形態】
【００１２】  以下、本発明の実施の形態を図１、図２に基づいて説明する。
【００１３】  潮流８を受けて深層水汲み上げ部１の外部に取り付けた外スクリュー１１が回転し、これに連動した内スクリュー１２が回転し、深層水汲み上げ部１の内部の海水が外部に排出される。これに伴い、ホース取り付け部１３に取り付けられたホース２から海水が深層水汲み上げ部１に取り込まれる。ホース２の下端を深層水を汲み上げたい水深に設定すれば意図した水深の深層水を汲み上げることができる。なお、外スクリュー及び内スクリューの形状及び取り付け位置は、実施例のごとく限定するものではない。
【符号の説明】
【００１４】  １    深層水汲み上げ部
２    ホース
３    フロート
４    吊り下げ索
５    アンカー
６    係留索
７    海底
８    潮流
１１  外スクリュー
１２  内スクリュー
１３  ホース取り付け部
【図１】
2012090619.tif 000003
【図２】
2012090619.tif 000004
(57)【要約】【課題】  場所をとらず、シーツ交換が容易で汚れが取り易く、軽量で携帯しやすいトイレを目的とする。【解決手段】  土台と一点で結合されたトレイの表面に波形と多数の丸穴を設け、ペットシーツは土台とトレイの間に挟む形で設置し、ペットにとって衛生的で、トイレ全体の掃除もしやすく、且つ軽量で携帯にも便利にしたことを特徴とする。【選択図】図１
2012090615.tif 000002
【特許請求の範囲】
【請求項１】
土台とトレイは長方形の一つの角の一点で結合されていて、結合部以外の三つの角に留め凹凸部を設け、トレイの表面は波形状とし面全体に多数の丸穴を設け、ペットシーツをトレイと土台に挟む構造とし、少し小さめとしたことを特徴とするペット用トイレ。
【発明の詳細な説明】
【技術分野】
【０００１】  本発明は、ペット用トイレに関するものである。
【背景技術】
【０００２】  従来のペット用トイレは、トイレ土台にペットシーツを置き、その上にメッシュ状のトレイを置くトイレが一般的である。例えば、挟んだペットシーツがずれないよう土台とトレイを両側の補助具で固定したトイレ（特許公開２００８−２９３６０）なども知られている。
【先行技術文献】
【０００３】
【特許文献１】特許公開２００８−２９３６０
【発明の概要】
【発明が解決しようとする課題】
【０００４】  ゲージ内スペースは限られているため、トイレをゲージ内へ置くことで場所をとり、トイレ以外のスペースが狭くなる。排泄後の尿がペットの足に付着しやすく、掃除の際トレイメッシュの四角穴の角部分に便が付着し、汚れが取れにくい。
本発明は、以上の問題点を解決するものである。
【課題を解決するための手段】
【０００５】  土台とトレイは長方形の一つの角の一点で結合されていて、土台の外側（底）の四隅に滑り止めを設ける。同じ土台の内側（トレイとの対向面）の結合部以外の三つの角に留め凹部を設ける。トレイの内側（土台との対向面）の結合部以外の三つの角に留め凸部を設ける。トレイ部分の表面は波状に形成し、面全体に多数の小さな丸穴を設ける。トレイと土台に挟むようにペットシーツを設置するが、ペットシーツの広さはトレイ及び土台よりも少し小さめとする。以上の構成によりなるペット用トイレである。
【発明の効果】
【０００６】  （イ）本発明により、トイレの大きさを最小限にすることができ、ゲージ内スペースを有効に活用できる。
（ロ）段差が少なくなり、高齢のペットにとって負担が少ない。
（ハ）トレイの表面の波形状と多数の丸穴があることによって、尿がスムーズにペットシーツに落下し、糞と混ざり合う事もなく掃除もしやすい。
（ニ）ペットシーツが直接ペットの身体に触れることがないので、濡れたシーツが絡まることもなく、ペットも汚れにくく衛生的である。
（ホ）トレイと土台とは一点結合の構造なので、ペットシーツの取り替えだけでなく、全体の掃除が一層隈なくやり易い。
（ヘ）土台の底には四つの角に滑り止めがあるので、ペットの複雑な動きによってもしっかりと安定を保つことができる。
（ホ）軽量で携帯でき、移動先でも使用可能になる。
かくして、従来のほとんどの問題が解決されたのである。
【図面の簡単な説明】
【０００７】
【図１】本発明斜視図
【図２】本発明断面図
【発明を実施するための形態】
【０００８】  以下、本発明の実施形態を説明する。
土台（１）とトレイ（２）は長方形の一つの角の一点で結合（６）されていて、土台（１）の外側（底）の四隅に滑り止め（４）を設ける。同じ土台（１）の内側の結合部（６）以外の三つの角に留め凹部（７）を設ける。トレイ（２）の内側の結合部（６）以外の３つの角に留め凸部（８）を設ける。トレイ（２）部分の表面は波状（９）に形成し、面全体に多数の小さな丸穴（５）を設ける。トレイ（２）と土台（１）に挟むようにペットシーツ（３）を設置するが、ペットシーツ（３）の広さはトレイ（２）及び土台（１）よりも少し小さめとする。
本発明は以上のような構造である。
本発明を使用する時は、トレイ（２）を開け、土台（１）とトレイ（２）の間にペットシーツ（３）を挟み、三つの角の凹凸部分で固定し使用する。ペットが排泄すると、尿がトレイ（２）の多数の丸穴（５）を通り、トレイ（２）下のペットシーツ（３）へ落下し吸収される。掃除の際は、トレイ（２）を開け、ペットシーツ（３）を取り出し洗浄する。携帯する際は、土台（１）とトレイ（２）を重ねた状態から巻いて筒状にする。
【符号の説明】
【０００９】  １土台、２トレイ、３ペットシーツ、４滑り止め、５丸穴、６結合部、７留め凹部、８留め凸部、９表面の波形状
【図１】
2012090615.tif 000003
【図２】
2012090615.tif 000004
(57)【要約】【課題】人間生活の環境が劇的に変化を起こし、今までは、野山に住んでいた鳥たちが人間の生活空間に入り込んで来て人間の生活空間を共有し始めた為に起こる被害が顕在化してきました、そこで生活空間を共用する為に使用する、鳥被害予防装置を提供する。【解決手段】人が多く集まる場所、人がその場所を必要とする場所での被害予防の為に薬剤や大きな音などで脅すことなく鳥がその場所を利用し難くなる方法で予防効果を発揮する特徴を持った鳥被害予防装置。【選択図】図１
2012090618.tif 000002
【特許請求の範囲】
【請求項１】
建物のベランダや屋根のアンテナ等に止まる鳥の糞の被害を防ぐ鳥被害予防装置。
【発明の詳細な説明】
【技術分野】
【０００１】  本発明は、ベランダやアンテナ等に止まり糞をする鳥を止まりにくくする事で色々な被害を防ぐ装置に関する物である。
【背景技術】
【０００２】  今まではほとんど無防備なベランダやテレビアンテナ、最近ではアンテナ近くに太陽光発電用のパネルが設置される事が増えてくると、鳥の糞も無視する事が出来なくなる状態に成ります、そこでその被害を少なくする鳥被害予防装置の必要性が増えてきました。【０００３】  最近の高層階建ての住居ではベランダが住まいの一部に成っています、戸建ての住居でも同じ状態になっている、今おきている、鳥などに依る被害を最小限にして、問題を解決する装置である。
【課題を解決するための手段】
【０００４】  普通飛んでいる鳥が生活しているいる人の都合で、鳥を追い払う事はとても無理な作業である、そこで（図２）の（３）、（４）の部分を中空パイプにして、くるくる回転する事で、人間が被害を受けたくない場所に本品を設置し、本品に止まろうとしても飛んできた鳥が本品に止まると、その部分が回転するので落ちそうになるか、ひっくり返る状態になり静止して止まる事が出来ない状態になり、自らがそこから遠ざかる様にした鳥被害予防装置である。
【発明の効果】
【０００５】  本品を設置するだけで他に何もすることなく、止まろうとする鳥が止まる事が出来ずにそこから遠ざかる様になる。
【０００６】  本品は、装置を動作させる為に必要な別の物はいらず、鳥が止まる時に発生する重力の不均だけで効果を発揮するので、鳥被害が発生する、狭い場所、人が歩いていたり、集まる場所で頭上にある構造物に鳥が集まる場所に簡単に取り付けて効果を出す事が出来る。
【発明を実施するための最良の方法】
【０００７】  以下、本発明の実施の形態について説明する。
出来るだけ軽量にしてどのような場所でも設置が出来る様にする。
【図面の簡単な説明】
【０００８】
【図１】  本発明の基本図である。
【図２】  部分詳細図である。
【符号の説明】
【０００９】１  本体
２  被害防止範囲拡大用支柱
３  本体部中空パイプ
４  被害防止用中空パイプ
５  本体設置用パイプ取り付け金具
６  被害防止用中空パイプ脱落止め
７  本体設置用パイプ
８  本体設置用パイプ取り付け止めネジ
【図１】
2012090618.tif 000003
【図２】
2012090618.tif 000004
(57)【要約】【課題】保険契約者（夫）との離婚時に、保険契約者の配偶者（妻）に生命保険契約の経済的メリットを提供する。【解決手段】本発明は、毎年定期的に保険契約者の婚姻状態の報告を受けるサーバーと、婚姻関係が継続されないことが報告された場合に、保険契約者の配偶者（妻）に離婚発生時に離婚特約を行使するようサポートする説明書を発行する手段と、保険契約者の配偶者（妻）に保険積立金の権利を移転させるプログラムと、からなる離婚特約付き生命保険システムに関する。【選択図】図１
2012068711.tif 000002
【特許請求の範囲】
【請求項１】
毎年定期的に保険契約者の婚姻状態の報告を受けるサーバーと、婚姻関係が継続されないことが報告された場合に、保険契約者の配偶者（妻）に離婚発生時に離婚特約を行使するようサポートする説明書を発行する手段と、保険契約者の配偶者（妻）に保険積立金の権利を移転させるプログラムと、からなる離婚特約付き生命保険システム。
【発明の詳細な説明】
【技術分野】
【０００１】
本発明は、保険契約者（夫）との離婚時に、保険契約者の配偶者（妻）に、それまでの保険契約者（夫）が掛けていた保険積立金の権利を移転させる離婚特約付き生命保険システムに関する。
【背景技術】
【０００２】
現在、日本で実施されている生命保険は、多種多様であるが、次のように分類できる。
【０００３】
保険金支払い事故によって、死亡保険、生存保険、生死混合保険に分けられる。死亡保険は、被保険者が死亡したときに限り、保険金が支払われる本来の生命保険である。さらに、終身保険と定期保険とに分かれ、前者は保険期間を定めず被保険者が死亡したときに限り保険金が支払われ、後者は被保険者が特定の期間内に死亡したときに限り保険金が支払われる。生存保険は、被保険者が保険期間満了まで生存していたときだけに保険金が支払われるものである。生死混合保険は、被保険者が一定期間生存したとき、または、その期間中に死亡したときのいずれにも保険金が支払われる保険であり、日本では養老保険とよばれ、もっとも普及している。最近では、養老保険に定期保険を組み合わせることによって死亡保障部分を大きくした定期付き養老保険が広く実施されている。
【０００４】
しかし、従来の生命保険では、離婚時にも保険契約者（夫）が保険契約者の地位を継続し、保険契約者の配偶者（妻）に保険契約に基づく給付がない。
【発明の概要】
【発明が解決しようとする課題】
【０００５】
そのため、従来の生命保険では、保険契約者（夫）との離婚時に、保険契約者の配偶者（妻）に保険契約の経済的メリットは提供することはできず、また、保険契約者の配偶者（妻）が当該保険契約から経済的なメリットを受けることはできなかった。
【課題を解決するための手段】
【０００６】
上記した課題を解決するために、本発明の離婚特約付き生命保険システムでは、夫婦間で離婚が起きた場合、保険契約者（夫）が掛けていた生命保険の保険積立金が保険契約者の配偶者（妻）に移転されるという特約を当該保険契約時につけておくことによって、保険契約者の配偶者（妻）に経済的なメリットを与えるものであり、また、婚姻関係の状態を通信回線を通して定期的に保険会社に報告させることにより、離婚発生時に特約を行使しうる条件を作り出すことができるようにしたことを特徴とする。
【０００７】
とくに、本発明の離婚特約付き生命保険システムでは、保険契約者（夫）は、当該保険の契約時に、離婚した場合は、保険契約者を夫から保険契約者の配偶者（妻）に変更する特約を結び、保険契約者の配偶者（妻）は通信回線を通して、例えば１年に一度、定期的に現在の婚姻の状態を保険会社に報告する。保険会社は、離婚に至った旨の報告を受けた場合は、離婚特約を行使しうる旨を保険契約者の配偶者（妻）に連絡し、当該保険の特約を行使し、保険契約者を夫から妻に名義変更することをサポートする。
【発明の効果】
【０００８】
本発明の離婚特約付き生命保険システムにより、離婚時に妻に経済的メリットを提供することができ、かつ離婚時に妻が夫からなんらの経済的な給付を受けることができない状態を改善することができる。また、保険積立金の妻への移転により、いささかでも離婚の発生を抑制する効果がある。
【図面の簡単な説明】
【０００９】
【図１】本発明の離婚特約付き生命保険システムの概念図を示す。
【発明を実施するための形態】
【００１０】
本発明の離婚特約付き生命保険システムは、添付した図１に示すように、毎年定期的に保険契約者の婚姻状態の報告を受けるサーバーと、婚姻関係が継続されないことが報告された場合に、保険契約者の配偶者（妻）に離婚発生時に離婚特約を行使するようサポートする説明書を発行する手段と、保険契約者の配偶者（妻）に保険積立金の権利を移転させるプログラムからなるシステムと、から構成されている。
【００１１】
図１に示すように、本発明の離婚特約付生命保険によれば、ステップ（Ｓ１）で、保険会社と離婚特約付生命保険契約を配偶者（夫）が締結し、ステップ（Ｓ２）で、例えば年一回、定期的に婚姻の状態を配偶者の妻から保険会社に報告する。ステップ（Ｓ３）で、離婚時には、保険契約者の配偶者（妻）からの離婚の報告により、契約した保険会社から保険契約者の配偶者（妻）に特約を行使するための説明書が送付される。保険契約者の配偶者（妻）は、ステップ（Ｓ４）で、この説明書にしたがい特約を行使する書類を契約保険会社に提出する。
【００１２】
この結果、それまで保険契約者（夫）が掛けていた保険積立金の権利が保険契約者の配偶者（妻）に移転する。
【図１】
2012068711.tif 000003
(57)【要約】【課題】  治療時に側枝まで抜去するための、歯科学生や研修医などの練習用模型を提供する。【解決手段】  根管からの側枝を１〜３本設け、透明のエポキシ樹脂で模擬する。根管と側枝を模擬した歯髄は、エポキシ樹脂に対して離型性の良いポリプロピレンを使用する。この時、薬剤が浸透しやすいように、根管と側枝は完全に貫通している事が必要である。その結果、歯科学生や研修医などが側枝まで抜去する技術をあらゆる方向から確認しながら習得することが可能となり、患者の治療後の歯の寿命が長くなる。また、完全に貫通させる事で、薬液を浸透させる訓練も容易になる。【選択図】図１
2012068605.tif 000002
【特許請求の範囲】
【請求項１】
人の歯の内部ある歯髄をポリプロピレンで見立て、根管と根管から分岐している１〜３本の側枝と、製造工程上で容易に引抜く事が可能なハンドルを備え、ポリプロピレン製の箱状の成形品を使用して透明の２液性樹脂内に、歯髄を見立てた空洞を模擬する事を特徴とする歯髄腔模型モデル。
【請求項２】
請求項１に示したポリプロピレン製の箱状の成形品と歯髄に見立てたポリプロピレン樹脂を用いて、２液性の透明エポキシ樹脂で成形される歯髄腔模型モデルの製造方法。
【発明の詳細な説明】
【技術分野】
【０００１】  本発明は、エポキシ樹脂やポリプロピレン樹脂を利用して、その中に微細な歯髄を見立てた細い空洞を設けた、歯科に携わる者が訓練用などとして利用できる歯髄モデルの製造方法に関するものである。
神経の形の歯髄の成形品を造り、抜髄の治療や根管充填などを行う為の訓練用歯髄モデルの製造方法に関するものである。
【背景技術】
【０００２】  現在の治療法として、神経にまで進行した虫歯や歯髄疾患などは、その歯髄を抜去する治療がある。切歯の場合は１本の根管が、臼歯の場合は２本以上の根管があり、その根管を抜去する処理が行われている。
【発明の概要】
【発明が解決しようとする課題】
【０００３】  従来、歯の内部の歯髄を除去する抜髄と称される外科療法が採用されてきた。歯髄は冠部から根尖部にかけて構造的に自然移行しており、歯髄抜去後の経過を考慮すると、歯冠部から根管最狭窄部までにわたって歯髄を抜去する事が望ましい。【０００４】  しかし、根管以外にも、根管から分岐する側枝がありその処理は非常に高度な技術の為、側枝までの処理をすることは難しい。
これまで、根管のみを象った歯髄モデルは市場に出ているが、根管の側枝まで再現する訓練用歯髄モデルはない。【０００５】  通常の治療では、根管のみを抜去し、その後側枝までの処理をするには強い薬液が必要とされるが、根管とその根管の側枝自体の両方を削る処理を行うことができれば、強い薬液を必要としなくても良い。
本発明では、根管の側枝の神経を造形し、歯科学生や研修医などの抜髄作業の訓練用などとして有用な精密さを備えた歯髄腔モデルを製造するためになされたものである。
【課題を解決するための手段】
【０００６】  最太部が０．６ミリメートルから２．０ミリメートルの、湾曲しながら先細になる形の根管と、根管から枝分かれする側枝を１〜３本設け、治療時に側枝まで抜去するための治療をする歯科学生や研修医などの練習用模型とする。本発明は、以上の構成からなる歯髄モデルである。
【発明の効果】
【０００７】  根管の側枝まで取り除く練習を行う事が可能になるので、患者の実際の治療時に抜髄後に薬剤を入れて加圧するなどの処置を隅々まで行うことが可能なことや、治療後の歯髄炎の防止に繋がる。【０００８】  隅々まで処理できるので、歯茎の劣化を遅らせる事が可能となる。
【図面の簡単な説明】
【０００９】
【図１】  本発明の製品完成図である。
【図２】  本発明の根管の太さについての図である。
【図３】  本発明の根管の側枝の数についての図である。
【図４】  ポリプロピレン製の成形型の全体図である。
【図５】  ポリプロピレン製の成形型の断面図である。
【図６】  ポリプロピレン製の成形型とポリプロピレン製の根管の取付け図である。
【発明を実施するための形態】
【００１０】  離型性の良い細いポリプロピレンを裂いて歯髄に模擬した根管と根管の側枝の、差替え式が可能な歯髄モデルを造る又はポリプロピレンなど離型性の良い樹脂で歯髄の形状（ａ〜ｆ）を成形する。このとき、初級者用モデル用（ｃ）や上級者向けのモデル用（ａ）によって、図２のように最太部が０．６から２．０ミリメートルの根管の寸法が決定される。
この根管と根管の側枝は湾曲し先に行くに従い細くなることが必要であり、高度な成形技術を要す。
また、容易に引抜く事が可能なハンドル（５）を備えている。
【００１１】  図３に示すように、根管の側枝の本数は、１〜３本とする。
【００１２】  図４の箱状に成形されたポリプロピレンの成形型と、神経を模擬した細いポリプロピレン製歯髄に離型剤を塗布する。
【００１３】  箱状に成形されたポリプロピレンの成形型（８）にポリプロピレンで模擬した神経を取付ける。
このとき、図５に示すように箱状に成形されたポリプロピレンの成形型は２種類あり、根管の取付個所（１０）が１個所のものは切歯用の歯髄モデルで、根管の取付け個所（１０）が２個所あるものは臼歯用の歯髄モデルである。
【００１４】  図６のように裂いたポリプロピレンを取付けた箱状に成形されたポリプロピレンの成形型（９）の中に、２液性の透明樹脂を充填し硬化させる。硬化後、２液性の透明樹脂をポリプロピレンの成形型（９）から外す。
【００１５】  硬化した樹脂の中にある神経を模擬したポリプロピレンのハンドル（５）を用いて引き抜く。そのとき、樹脂を４０度から７０度に温めて、樹脂に柔軟性を持たせ、エポキシ樹脂と歯髄のポリプロピレンの熱膨張の違いで緩みを発生させることで、容易に抜去する事ができる。
このとき、根管の上面と、底面から出ている根管と根管の側枝の全てが貫通していなければならない。
【符号の説明】
【００１６】  １  本発明の製品完成図を表す
２  上級者用の歯髄モデルの根管の太さを表す
３  中級者用の歯髄モデルの根管の太さを表す
４  初級者用の歯髄モデルの根管の太さを表す
５  引き抜きの容易なハンドル
６  根管と、１本の側枝を表す
７  根管と、２本の側枝を表す
８  根管と、３本の側枝を表す
９  ポリプロピレン製の成形型の全体図を表す
１０  根管の取付け位置
【図１】
2012068605.tif 000003
【図２】
2012068605.tif 000004
【図３】
2012068605.tif 000005
【図４】
2012068605.tif 000006
【図５】
2012068605.tif 000007
【図６】
2012068605.tif 000008
(57)【要約】      （修正有）【課題】従来は店頭における広告宣伝用表示装置は広告宣伝用商品と分離されており、商品は広告表示装置の横や上に置かなければならなかったので、該商品の配置スペースに関連していた該表示装置の設置の可能性を該商品の配置スペースとは関連しない構成とする。【解決手段】店頭宣伝用の液晶表示装置の映像再生の中で、ＲＧＢのピクセルで色を表現する部分は表示に利用し、ＲＧＢのピクセルの色がつかない場所は光が透過して背景が透けて見えるので、陳列商品の視認用として利用する。すなわち、バックライトの光源を、液晶表示用と背面にある陳列商品自体も明るく表示してくれる照明用の両方に利用出来るように、バックライトの位置を最適な位置に持ってくる。また、スライドレールに広告商品を固定する事により、いちいちプラスチックケースを分解することなく、簡単に広告商品の交換をする事を可能とする。【選択図】図１
2012068604.tif 000002
【特許請求の範囲】
【請求項１】
液晶パネルに通常つけなければ、表示がきれいに見えない反射板を取付けず、バックライトを最適な位置に取り付ける事によって、動画再生中に背面が透けて見え、後ろに置いてある広告物が液晶越しに見える広告液晶表示装置。
【発明の詳細な説明】
【技術分野】
【０００１】    本発明は、店頭において商品の広告宣伝用に用いられる液晶パネルと広告商品の宣伝方法に関する
【背景技術】
【０００２】従来の広告宣伝用映像表示装置として、店頭動画広告宣伝用表示装置やＤＶＤプレイヤから画像表示装置に信号を送って、広告を画像表示装置に表示させる広告が知られている（例えば、特許文献１参照。）【特許文献１】特許２９２１３６１号広報
【発明の開示】
【発明が解決しようとする課題】
【０００３】  今まで店頭では広告宣伝用表示装置は特許第２９２１３６１号に見られる様な広告表示装置のみの製品であり、製品は広告表示装置の横や上に置かなければならなかったので、店舗の商品陳列スペースを横や上に取れない場合は、広告宣伝用表示装置を取付けられなかった。【０００４】  本発明は、液晶パネルを透過型にする事により、液晶パネル背面にある商品を見せながら映像広告を表示させる事で、店舗スペースの幅を取れない商品であっても奥行きさえあれば、陳列する事を目的とする。
【課題を解決するための手段】
【０００５】  店頭宣伝用表示装置の映像再生の中で、ＲＧＢのピクセルの色がつかない場所は透過し、裏が透けて見え、ＲＧＢのピクセルで黒を表現する場合は透過しにくい構造となる。【０００６】  また、本発明はバックライトの光源を利用して、背面にある商品をも照らし、商品自体も明るく表示してくれるようにバックライトの位置を液晶用と商品用に最適な位置に持ってくる。【０００７】  また、スライドレールに広告商品を固定する事により、いちいちプラスチックケースを分解することなく、簡単に広告商品の交換をする事が可能である。  以下、本発明の実施の形態について、図面を用いて説明する。【００２０】  （第１の実施の形態）まず、本実施の形態に係る人数計測機能付広告宣伝用映像表示装置としての効果測定可能な構成について説明する。【００２１】
【００２２】図１に示すように、液晶パネルと広告商品の中間にバックライトを配置してあり、広告商品はスライドトレーに固定されている。プレイヤー基盤・インバーター基盤・ドライバー基盤はすべてスライドトレーの背面に配置されている。【００２３】図２に示すように、バックライトは両サイドに配置されている。【００２４】図３に示すように、スライド式トレーはスライドしてトレーに固定してある広告商品を取り替えることが出来る。
【図面の簡単な説明】
【００２５】【図１】本発明の第１の実施の形態に係る透過型広告表示装置の断面図
【００２６】【図２】本発明の第１の実施の形態に係る透過型広告表示装置の前面
【００２７】【図３】本発明の第１の実施の形態に係る透過型広告表示装置の前面で尚且つスライドレールをずらした状態
【００２８】【図４】本発明の第１の実施の形態に係る透過型広告表示装置の側面
【符号の説明】
【００２８】１    液晶パネル２    広告商品３    プレイヤー基盤４    インバーター基盤５    ドライバー基盤６    スライド式トレー７    レー８    プラスチックケース９    バックライト
【図１】
2012068604.tif 000003
【図２】
2012068604.tif 000004
【図３】
2012068604.tif 000005
【図４】
2012068604.tif 000006